(57)【要約】【課題】  テンプルや補助眼鏡等の眼鏡部品を眼鏡本体に容易に着脱することのできる眼鏡部品の着脱構造を提供する。【解決手段】  テンプルや補助眼鏡等の眼鏡部品を、眼鏡本体に着脱自在に取り付ける眼鏡部品の着脱構造において、眼鏡本体１２の固定部１５１，１５２に保持された第一の磁着体１５５，１５６と、眼鏡部品１１に保持され、第一の磁着体１５５，１５６に磁着し、第一の磁着体１５５，１５６に対して相対的に回転するとともに、回転中心が第一の磁着体１５５，１５６の中心軸線上に位置する第二の磁着体１５７とを有する構成とした。【選択図】  図２
2007309953.tif 000002
【特許請求の範囲】
【請求項１】
テンプルや補助眼鏡等の眼鏡部品を、眼鏡本体に着脱自在に取り付ける眼鏡部品の着脱構造において、
前記眼鏡本体の固定部に保持された第一の磁着体と、
前記部品に保持され、前記第一の磁着体と同心上で前記第一の磁着体と磁着する第二の磁着体と、
を有することを特徴とする眼鏡部品の着脱構造。
【請求項２】
前記第二の磁着体が、前記第一の磁着体に対して相対的に回転するとともに、回転中心が前記第一の磁着体の中心軸線上に位置すること、
を特徴とする請求項１に記載の眼鏡部品の着脱構造。
【請求項３】
テンプルや補助眼鏡等の眼鏡部品を、眼鏡本体に着脱自在に取り付ける眼鏡部品の着脱構造において、
前記眼鏡本体の固定部に保持され、櫛刃状に離間して配置された複数の第一の磁着体と、
前記眼鏡部品に保持され、前記複数の前記第一の磁着体の間に挿入されて前記第一の磁着体に磁着する少なくとも一つの第二の磁着体と、
を有することを特徴とする眼鏡部品の着脱構造。
【請求項４】
前記第一の磁着体及び前記第二の磁着体の一方が磁石で、他方が磁石又はこの磁石に磁着する性質を有する材料で形成されていることを特徴とする請求項１〜３のいずれかに記載の眼鏡部品の着脱構造。
【請求項５】
前記第一の磁着体及び前記第二の磁着体が、円形状であることを特徴とする請求項１〜４のいずれかに記載の眼鏡部品の着脱構造。
【請求項６】
前記第一の磁着体と前記第二の磁着体が共に磁石で形成され、かつ、円形以外の形状に形成されていることを特徴とする請求項１〜３のいずれかに記載の眼鏡部品の着脱構造。
【請求項７】
複数の前記第一の磁着体及び複数の前記第二の磁着体を、同一の平面内で異なる方向に並べて配置し、前記眼鏡部品を回転させたときの前記第一の磁着体と前記第二の磁着体の磁着力により、前記眼鏡部品を所定の方向に差し向けることを特徴とする請求項１〜６のいずれかに記載の眼鏡部品の着脱構造。
【請求項８】
前記第一の磁着体及び前記第二の磁着体の磁着面に、互いに係合する係合部を形成したことを特徴とする請求項１〜７のいずれかに記載の眼鏡部品の着脱構造。
【請求項９】
前記第一の磁着体に、複数の前記眼鏡部品のための前記第二の磁着体を取り付けたことを特徴とする請求項１〜８のいずれかに記載の眼鏡部品の着脱構造。
【請求項１０】
前記眼鏡部品がテンプルで、このテンプルの先端に前記第二の磁着体を取り付け、前記テンプルが取り付けられる智の先端に前記第一の磁着体を取り付けたことを特徴とする請求項１〜９のいずれかに記載の眼鏡部品の着脱構造。
【請求項１１】
前記眼鏡本体側又は前記眼鏡部品側に、前記眼鏡部品が所定角度以上に回動しないように規制するストッパを設けたことを特徴とする請求項１〜１０のいずれかに記載の眼鏡部品の着脱構造。
【請求項１２】
前記眼鏡部品が前掛けの補助眼鏡で、この補助眼鏡のリム両端に形成されたアームの先端に前記第二の磁着体を取り付け、この第二の磁着体を前記第一の磁着体に磁着させたことを特徴とする請求項１〜１１のいずれかに記載の眼鏡部品の着脱構造。
【請求項１３】
前記眼鏡部品が前掛けの補助眼鏡で、この補助眼鏡のリム両端に形成されたアームに前記第二の磁着体を取り付け、前記眼鏡のリムの両側に前記第一の磁着体を取り付けたことを特徴とする請求項１〜１２のいずれかに記載の眼鏡部品の着脱構造。
【発明の詳細な説明】
【技術分野】
【０００１】
本発明は、テンプルや補助眼鏡等の眼鏡部品を眼鏡本体に容易に着脱することのできる眼鏡部品の着脱構造に関する。
【背景技術】
【０００２】
眼鏡本体は、テンプルや、ヨロイ、ブリッジ、リム等の多数の眼鏡部品を連結して構成されている。しかし、従来、これらの眼鏡部品はろう付けやねじ止め等により互いに固着されるのが一般的で、その交換は容易ではなかった。
ところで、近年では眼鏡をファッションの一部としてとらえる機運が高まり、眼鏡部品を自由に交換して使用することが望まれている。また、眼鏡部品を交換可能にして、各種サイズやデザインの眼鏡部品を多数揃えておき、これらの中から顧客の嗜好に適った眼鏡部品を選択して、顧客の個性を表現できるオリジナル眼鏡の販売が求められている。
そのため、従来より、眼鏡部品を着脱を容易又は自在にした眼鏡や着脱構造の提案がなされている（例えば、特許文献１〜３参照）。
【特許文献１】特開平１１−１１９１６６号公報
【特許文献２】特開２００２−２６８０１８号公報
【特許文献３】特開２００４−１０９８４１号公報
【発明の開示】
【発明が解決しようとする課題】
【０００３】
しかし、特許文献１に記載の丁番構造では、テンプルが智から外れやすく、実用性に乏しく、容易に外れないようにするためには図３に示すような保持部材を設ける必要があるという問題がある。また、特許文献３に記載のメガネフレームの連結構造では、支持軸に係合溝を係合させてヨロイとテンプルとを連結しているため、着脱自在とは言い難い構造になっている。また、特許文献２に記載の前掛眼鏡取付装置は、前掛け眼鏡の着脱は自在であるが、テンプルのように回動する部品の着脱はできない。
本発明は上記の課題を解決するためになされたもので、テンプルや補助眼鏡等の眼鏡部品を眼鏡本体に容易に着脱することのできる簡単で安価な構成の眼鏡部品の着脱構造の提供を目的とする。
【課題を解決するための手段】
【０００４】
上記目的を達成するために、本発明は、請求項１に記載するように、テンプルや補助眼鏡等の眼鏡部品を、眼鏡本体に着脱自在に取り付ける眼鏡部品の着脱構造において、前記眼鏡本体の固定部に保持された第一の磁着体と、前記部品に保持され、前記第一の磁着体と同心上で前記第一の磁着体と磁着する第二の磁着体とを有する構成としてある。請求項２に記載するように、前記第二の磁着体を、前記第一の磁着体に対して相対的に回転するとともに、回転中心が前記第一の磁着体の中心軸線上に位置させる構成とするとよい。
この構成によれば、眼鏡部品を、磁石の磁着力によって簡単に眼鏡本体に着脱することができる。特に、テンプルのように回転する眼鏡部品を、安定的かつ着脱自在に眼鏡本体に取り付けることができる。
【０００５】
また、請求項３に記載するように、テンプルや補助眼鏡等の眼鏡部品を、眼鏡本体に着脱自在に取り付ける眼鏡部品の着脱構造において、前記眼鏡本体の固定部に保持され、櫛刃状に離間して配置された複数の第一の磁着体と、前記眼鏡部品に保持され、前記複数の前記第一の磁着体の間に挿入されて前記第一の磁着体に磁着する少なくとも一つの第二の磁着体とを有する構造としてもよい。例えば、
二つの第一の磁着体を同一の軸線上に離間させて配置し、この第一の磁着体の間に第二の磁着体を挿入して磁着させるようにしてもよい。このようにすることで、眼鏡部品をより強固に眼鏡本体に取り付けることができる。
なお、「磁着体」としては、請求項４に記載するように、前記第一の磁着体及び前記第二の磁着体の一方を磁石とし、他方を磁石又はこの磁石に磁着する性質を有する材料で形成されたもの、例えば鉄等の金属とすることもできる。
【０００６】
請求項５に記載するように、前記第一の磁着体及び前記第二の磁着体は、円形状でとするとよい。
このようにすることで、磁着作用によって抜脱方向に大きな抵抗が作用するが、回転方向にはほとんど抵抗が作用せず、テンプル等の折り畳み及び展開が自在に行えるようになる。
また、請求項６に記載するように、前記第一の磁着体と前記第二の磁着体とを共に磁石で形成し、かつ、円形以外の形状で形成してもよい。
円形以外の形状としては、楕円形、方形、三角形、ハート形等がある。このような形状とすることで、第二の磁着体を第一の磁着体に対して回転させると、各形状に応じた一定の角度の範囲内で眼鏡部品に元の位置に復帰させようとする復元力が作用する。
【０００７】
また、請求項７に記載するように、複数の前記第一の磁着体及び複数の前記第二の磁着体を、同一の平面内で異なる方向に並べて配置してもよい。このようにすることで、眼鏡部品を回転させることで、磁着体の配列方向と同方向に差し向けることができる。
さらに、請求項６又は請求項７に記載するように構成することで、一定の回転角度の範囲内で磁着作用による復元力を眼鏡部品に作用させることが可能になり、例えば、静置環境下でテンプルを展開状態又は折り畳み状態で維持させることができる。
【０００８】
請求項８に記載するように、テンプルや補助眼鏡等の眼鏡部品を、任意の位置でロックするために、前記第一の磁着体及び前記第二の磁着体の磁着面に、係合部を形成するとよい。
また、請求項９に記載するように、一つの第一の磁着体に、複数の眼鏡部品の第二の磁着体を取り付けるようにすることもできる。このようにすることで、例えば、テンプルと智とを連結する着脱構造に、補助眼鏡を着脱自在に取り付けることが可能になる。
【０００９】
本発明は、請求項１０又は請求項１２に記載するように、テンプルや補助眼鏡の取り付けに好適である。また、眼鏡部品がテンプルのような回動する部品である場合には、請求項１１に記載するように、テンプル等の眼鏡部品が所定角度以上に回動しないように規制するストッパを設けるとよい。
補助眼鏡の着脱に適用する場合は、請求項１３に記載するように、補助眼鏡のリム両端に形成されたアームに前記第二の磁着体を取り付け、前記眼鏡のリムの両側に前記第一の磁着体を取り付けるようにするとよい。
なお、本発明に好適に用いることのできる磁石は、磁束密度４０００ガウス以上の強力磁石、例えば、ネオジウムを用いるとよい。
【発明の効果】
【００１０】
本発明によれば、テンプルや補助眼鏡等の眼鏡部品を眼鏡本体に容易に着脱することができる。特に、磁着体の形状を円形以外のものとすることで、磁着力によって眼鏡部品に復元力を作用させることができるようになる。
また、櫛刃状に配置した複数の第一の磁着体の間に、第二の磁着体を挿入して互いに磁着させることで、眼鏡本体に眼鏡部品を安定的に保持させることができる。
【発明を実施するための最良の形態】
【００１１】
以下、本発明の好適な実施形態を、図面を参照しながら詳細に説明する。
［第一の実施形態］
図１は本発明の着脱構造を備えた眼鏡の第一の実施形態にかかり、（ａ）は部品である補助眼鏡を取り付ける前の状態を示す斜視図、（ｂ）は補助眼鏡を取り付けた状態を示す斜視図である。
図１に示すように、この実施形態の眼鏡は、テンプルと智との連結部分及び補助眼鏡と眼鏡との取付部分に本発明の着脱構造を用いている。
【００１２】
眼鏡１は、レンズ１４を保持する眼鏡本体としてのリム１３と、このリム１３の両端に設けられ、テンプル１１を折り畳み自在に保持する智１２とを有している。そして、智１２の先端に着脱構造１５が設けられていて、この着脱構造１５によって、眼鏡部品であるテンプル１１が智１２に対して折り畳み自在かつ着脱自在に取り付けられる。
この眼鏡１の前面に取り付けられる眼鏡部品としての補助眼鏡２は、レンズ２４を保持するリム２３と、このリム２３の両端に設けられたアーム２１とを有していて、アーム２１の先端が、着脱構造１５を介して眼鏡１に着脱自在に取り付けられる。
【００１３】
図２は、図１の着脱構造１５の構成を説明する部分拡大斜視図である。
智１２の先端には、円環状の二つの磁石保持部１５１，１５２が、隙間１５８を介して上下に配置，形成されている。また、テンプル１１の先端には、隙間１５８に嵌合する環状の磁石保持部１５３が形成されている。
これら三つの磁石保持部１５１，１５２，１５３は、ほぼ同じ形状，大きさ及び同一の内径の孔を有するように形成されている。そして、磁石保持部１５１，１５２，１５３の貫通孔には、ほぼ同じ大きさを有する円形状の磁石１５５，１５６，１５７が嵌め入まれ、接着材等で固定される。
【００１４】
磁石１５５，１５６，１５７は、磁石保持部１５１に取り付けられる磁石１５５の下面と磁石保持部１５３に取り付けられる磁石１５７の上面とが互いに磁着するように、かつ、磁石保持部１５２に取り付けられる磁石１５６の上面と磁石１５７の下面とが互いに磁着するように、磁石保持部１５１，１５２，１５３に取り付けられる。
磁石１５５，１５６，１５７の磁着力は同じものであってもよいし異なるものであってもよい。磁石１５５，１５６，１５７は、テンプル１１が容易に智１２から離脱しないようにするために、可能な限り磁着力が強いものを使用するのがよく、ネオジウムのような強力磁石を用いるのが好ましい。
【００１５】
補助眼鏡２のアーム２１の先端には、磁石保持部１５１と同じ形状及び同じ内径の孔を有する円環状の磁石保持部２１ａが形成されている。そして、この磁石保持部２１ａに、磁石１５５と同じ大きさ及び同じ形状の磁石２５が取り付けられている。この磁石２５は、磁石２５の下面と磁石１５５の上面とが互いに磁着するように、磁石保持部２１ａに取り付けられる。
【００１６】
上記構成の着脱構造１５を用いた眼鏡１の作用を説明する。
テンプル１１を智１２に取り付けるには、磁石１５７が取り付けられたテンプル１１の先端を、図２中矢印Ｉで示す方向から隙間１５８に差し込む。
磁石１５７と磁石１５５，１５６とは互いに磁着するように智１２及びテンプル１１に取り付けられていて、かつ、これら磁石１５５，１５６，１５７は同じ大きさの円形状に形成されているから、磁石１５７を隙間１５８に差し込むことで、磁石１５５，１５６，１５７のそれぞれの磁着力により、三つの磁石１５５，１５６，１５７が互いに引き合いながら同心状に配置される。
【００１７】
テンプル１２は、磁石１５７が上下二つの磁石１５５，１５６に磁着することで容易には抜脱することがない。その一方で、円形状の三つの磁石１５５，１５６，１５７が同心状に配置されていることから、回転方向の移動は容易である。そのため、テンプル１２を智１１に取り付けた後も、テンプル１２を折り畳み、展開することは自在である。
また、三つの磁石１５５，１５６，１５７の磁着力に抗してテンプル１１を引っ張ることで、テンプル１１の先端が隙間１５８から抜脱し、テンプル１１を智１２から取り外すことができる。
そのため、ねじ等の締結手段を一切用いずに、テンプル１１の着脱が容易な眼鏡１を得ることができる。
【００１８】
補助眼鏡２を眼鏡１に取り付ける際には、補助眼鏡２のアーム２１に取り付けられた磁石２５を智１２の先端の磁石１５５に近づける。
これにより、互いに引き合う力によって磁石２５が磁石１５５に引き寄せられ、両磁石２５，１５５が磁着して、補助眼鏡２が眼鏡１に取り付けられる。このとき、両磁石２５，１５５は同心状に磁着するので、補助眼鏡２のアーム２１の先端を智１２の先端に近づけるだけで補助眼鏡２を正確に眼鏡１に取り付けることができるという利点がある。
【００１９】
前記したように、磁石１５５，１５６，１５７の磁着力により、テンプル１２を智１１に取り付けると、テンプル１１は容易には智１２から外れないが、テンプル１２の折り畳み及び展開は自在である。そのため、テンプル１２が必要以上に外側に回動して、眼鏡１を装着したときの安定が悪くなるおそれがある。
そこで、この実施形態では、磁石保持部１５１，１５２の外側にストッパ１７を設けて、このストッパ１７にテンプル１１を当接させることで、テンプル１１が必要以上に回動しないようにしている。
また、このストッパ１７として板ばね等の弾性部材を用いることで、テンプル１１を展開させたときに、テンプル１１に弾発力を付与することができる。
【００２０】
［第二の実施形態］
図３は、本発明の第二の実施形態にかかり、跳ね上げ式の補助眼鏡の取り付けに本発明の着脱構造を適用した例を示す斜視図である。
この図において、先の実施形態と同一部位，同一部材には同一の符号を付し、詳しい説明は省略する。
この実施形態では、図３（ａ）に示すように、眼鏡１のリム１３の両側に磁石１８が取り付けられ、この磁石１８と磁着する磁石２６が、補助眼鏡２のアーム２１の先端に取り付けられている。そして、（ｂ）に示すように、二つの磁石１８，２６が磁着することで、補助眼鏡２が眼鏡１の前面に着脱自在に取り付けられる。また、（ｃ）に示すように、磁石１８，２６を支点として、補助眼鏡２を使用位置（図３（ｂ）に示す位置）と、跳ね上げ位置（同（ｃ）に示す位置）との間で回動させることができる。
【００２１】
図４（ａ）は、この実施形態における着脱構造の詳細を説明する部分拡大斜視図である。
リム１３の側面に、円板状の磁石１８が取り付けられ、この磁石１８に磁着する円板状の磁石２６が補助眼鏡２１のアーム２１の側面に取り付けられている。  この二つの磁石１８，２６は同じ外径に形成されていて、かつ、磁着面が互いに対向するように配置されている。そのため、両磁石１８，２６は、互いの中心軸線を一致させるように引き合いながら磁着する。
【００２２】
図４（ｂ）は、磁石１８，２６の断面図である。この断面図に示すように、一方の磁石（図示の例では磁石１８）の中心に窪み１８ａを形成し、他方の磁石（同磁石２６）の中心に突起２６ａを形成することで、この窪み１８ａと突起２６ａとが係合するように補助眼鏡２が眼鏡１に取り付けられる。そのため、補助眼鏡２を回動させる際に、補助眼鏡２の自重による磁石１８と磁石２６との偏心が防止され、補助眼鏡２を正確に跳ね上げ位置と使用位置との間で回動させることができる。
【００２３】
なお、この実施形態の他の変形例として、円板状の磁石１８，２６の表面に、互いに噛合する凹凸を、磁石１８，２６中心から外周に向けて一つ又は複数形成し、この凹凸を噛合させることで、補助眼鏡２を所望の跳ね上げ位置で保持させることができるようなる。
【００２４】
［第三の実施形態］
図５は、本発明の連結構造の第三の実施形態にかかり、その平面図である。
上記の実施形態では、磁石１５５，１５６，１５７及び磁石１８，２６は円形に形成されていて、テンプル１１の折り畳みや展開を行う際、補助眼鏡２を跳ね上げ位置と使用位置との間で回動させる際における、磁石１５５，１５６，１５７及び磁石１８，２６の磁着力による抵抗を小さくしている。
【００２５】
図５に示す実施形態では、テンプル１１の磁石保持部３３及び智１２の先端の磁石保持部３１，３２は、テンプル１１及び智１２の長手方向に沿った軸線上に長軸を有する楕円状に形成されている。そして、これら磁石保持部３１，３２，３３に楕円状の磁石３５，３６，３７が取り付けられている。
なお、この実施形態においては、磁石３５，３６，３７の互いの磁着面を低摩擦面として仕上げたり、図５中符号４で示すように、低摩擦性の他の部材、例えばステンレス製の薄板を磁石３５と磁石３７との間及び磁石３６と磁石３７との間に介在させて、磁石３５，３６，３７が磁着したときの摩擦を低減させるとよい。
互いに磁着する三つの磁石３５，３６，３７を楕円状に形成することで、これら三つの磁石３５，３６，３７には互いの軸線（長軸）を一致させようとする方向に磁着力が作用し、例えば図５（ｂ）に示すようにテンプル１１が展開状態で多少回動しても、テンプル１１には通常位置に復帰させようとする復元力が作用し、ばねヒンジと同様の効果を得ることができる。
また、展開状態から９０度を超えてテンプル１１を折り畳むと、楕円形状の三つの磁石３１，３２，３３の磁着作用により、テンプル１１には折り畳み状態を維持しようとする力が作用し、安定的に折り畳み状態を維持することができる。
【００２６】
［第四の実施形態］
図６は、本発明の連結構造の第四の実施形態にかかり、その平面図である。
この実施形態では、テンプル１１及び智１２の先端の磁石保持部３１，３２，３３の各々に、磁石３４，３５，３６をそれぞれ四つづつ、均等に配置している。これら四つの磁石は、同じ磁着力のものを用いるのが好ましい。
この実施形態では、テンプル１１の展開状態（図６（ａ）の状態）では、Ｘ方向に配置された二つの磁石によりテンプル１１がＸ方向に差しむけられ、かつ、磁着力によりその位置に維持される。また、折り畳んだ状態（同（ｂ）の状態）では、Ｙ方向に配置された二つの磁石によりテンプル１１がＹ方向に差しむけられ、かつ、磁着力によりその位置に維持される。
【００２７】
［第五の実施形態］
図７は、本発明の連結構造の第五の実施形態にかかり、眼鏡のフロント部分の平面図である。
この実施形態の眼鏡では、補助眼鏡５を眼鏡１の内側から取り付けるようにしている。
補助眼鏡５は、リム５３の縁に沿ってフード５１が設けられているとともに、リム５３の両端には、図１の補助眼鏡２と同様に磁石５５が設けられている。また、眼鏡１の智１２には、磁石５５に磁着する磁石１６が設けられ、磁石５５と磁石１６とを磁着させることで、眼鏡１の内側から補助眼鏡５を取り付けることができるようになっている。フード５１を有する補助眼鏡５を眼鏡１に取り付けることで、眼鏡１に防花粉機能又は防塵機能を備えさせることができる。
なお、磁石１６の位置は、第一の実施形態及び第二の実施形態と同様に、智１２のヒンジ部分であってもよいし、図７に示すように、智１２の途中部分であってもよい。
【００２８】
［第六の実施形態］
図８は、本発明の連結構造の第六の実施形態にかかり、眼鏡のフロント部分の平面図である。
この実施形態では、左右別体の補助眼鏡６，６を、眼鏡１の左右のレンズ１４，１４の外側に、矢印Ｉで示す方向に各々着脱できるようにしている。
補助眼鏡６，６の各々には、アーム６１の先端に円形状の磁石６２が設けられている。また、眼鏡１の智１２には、上下に離間して二つの円形状の磁石１７１，１７２が設けられている。そして、第一の実施形態におけるテンプル１１側の磁石１５７及び智１２側の磁石１５５，１５６と同様に、磁石１７１，１７２の間に磁石６２が挿入され、磁着されるようになっている。
そのため、この実施形態の補助眼鏡６，６は、図８に示すように、磁石１５５，１５６及び磁石６２を軸として、眼鏡１のリム１３に対して矢印II方向に開閉自在である。
なお、第一の実施形態と同様に、智１２にストッパを設けて、補助眼鏡６，６が所定角度以上回動しないように規制することも可能である。
【００２９】
［第七の実施形態］
図９は、本発明の連結構造の第七の実施形態にかかり、智とテンプルとの連結部分の斜視図である。
この実施形態では、補助眼鏡等の眼鏡部品７のアーム７１の先端に磁石７１１を下向き凸状に取り付けている。また、智１２の途中部位には、磁石７１１とほぼ同じ径の開口を有する凹部１２ａが形成されている。そして、この凹部１２ａに、磁石７１１と磁着する磁石１８１が嵌め込まれている。磁石１８１の上面は、凹部１２ａの開口よりも若干低い位置にあって、磁石７１１を凹部１２ａに挿入したときに磁石７１１の下面が磁石１８１の上面に当接するようになっている。このように、凹部１２ａに埋め込んだ磁石１８１と凸状の磁石７１１とを磁着させることで、補助眼鏡等の眼鏡部品７を安定的かつ着脱自在に眼鏡に取り付けることができる。
なお、この実施形態において、磁石１７１及び磁石７１１の形状は、円形であってもよいし円形以外の形状であってもよい。眼鏡部品７が智１２に対して回転するようなものである場合には、円形とするのがよい。
【００３０】
本発明の好適な実施形態について説明したが、本発明は上記の実施形態に限定されるものではない。
例えば、図５及び図６を参照しながら説明した着脱構造は、テンプル１１と智１２との連結に限らず、補助眼鏡２と眼鏡１との連結にも適用が可能である。
また、眼鏡部品に復元力を持たせるには、磁石３１，３２，３３の形状は非円形であればよく、上記の実施形態で挙げた楕円以外の形状、例えば、三角形や四角形、多角形、ハート形等の定形の他、不定形状としてもよい。
また、上記の実施形態では、第一の磁着体及び第二の磁着はともに磁石であることを前提に説明したが、第一の磁着体又は第二の磁着体の一方を磁石で形成し、他方を磁着性のある鉄等の金属で形成するようにしてもよい。
【産業上の利用可能性】
【００３１】
本発明は、図示したようなハーフリムの眼鏡に限らず、フルリムやリムレス眼鏡にも適用が可能である。また、本発明は眼鏡部品の着脱構造として広く適用が可能であり、テンプルや補助眼鏡に限らず、智や鼻パッド、モダンその他の眼鏡部品の取り付けにも適用が可能である。
【図面の簡単な説明】
【００３２】
【図１】本発明の着脱構造を備えた眼鏡の第一の実施形態にかかり、（ａ）は部品である補助眼鏡を取り付ける前の状態を示す斜視図、（ｂ）は補助眼鏡を取り付けた状態を示す斜視図である。
【図２】図１の着脱構造１５の構成を説明する部分拡大分解斜視図である。
【図３】本発明の第二の実施形態にかかり、跳ね上げ式の補助眼鏡の取り付けに本発明の着脱構造を適用した例を示す斜視図である。
【図４】（ａ）は、第二の実施形態における着脱構造の詳細を説明する部分拡大斜視図、（ｂ）は、磁石の断面図である。
【図５】本発明の連結構造の第三の実施形態にかかり、その平面図である。
【図６】本発明の連結構造の第四の実施形態にかかり、その平面図である。
【図７】本発明の連結構造の第五の実施形態にかかり、眼鏡フロント部分の平面図である。
【図８】本発明の連結構造の第六の実施形態にかかり、眼鏡フロント部分の平面図である。
【図９】本発明の連結構造の第七の実施形態にかかり、智とテンプルとの連結部分の斜視図である。
【符号の説明】
【００３３】
１          眼鏡
１１        テンプル（眼鏡部品）
１２        智
１３        リム（眼鏡本体）
１４        レンズ
１５        着脱構造
１５１、１５２，１５３    磁石保持部
１５５，１５６    磁石（第一の磁着体）
１５７            磁石（第二の磁着体）
１８              磁石（第二の磁着体）
２          補助眼鏡（眼鏡部品）
２１        アーム
２１ａ      磁石保持部
２３        リム
２４        レンズ
２５        磁石（第二の磁着体）
２６        磁石（第二の磁着体）
【図１】
2007309953.tif 000003
【図２】
2007309953.tif 000004
【図３】
2007309953.tif 000005
【図４】
2007309953.tif 000006
【図５】
2007309953.tif 000007
【図６】
2007309953.tif 000008
【図７】
2007309953.tif 000009
【図８】
2007309953.tif 000010
【図９】
2007309953.tif 000011